(57)【要約】【課題】  光ファイバの裸光ファイバを溝台の溝へ自動的に収まるようにする。【解決手段】  光ファイバ把持部２３Ｌ、２３Ｒで光ファイバ７Ａ、９Ａの被覆部７Ｂ、９Ｂを把持せしめ、この被覆部よの先端に露出された裸光ファイバ部７Ｃ、９Ｃを前記光ファイバ把持部より前方に設けられた溝台１５の溝１９Ｌ、１９Ｒへ収めて整列させる際、前記光ファイバ把持部で把持され光ファイバ把持部より前方にあるた光ファイバの被覆部の位置に、両脇に傾斜部２３Ｂを有する光ファイバガイド部３１を前記溝台１５と該光ファイバガイド部のそれぞれの中心Ｏ１、Ｏ２がほぼ一直線上に配置し、前記裸光ファイバ部を前記溝上に設置した後、前記光ファイバガイド部３１を上昇させて前記被覆部７Ｂ、９Ｂをガイドして前記光ファイバ把持部ごと光ファイバガイド部３１の中心位置へ移動させて、その後光ファイバガイド部３１を下降させて前記裸光ファイバ部を前記溝内に収めて整列させることを特徴とする。【選択図】  図１
2005352168.tif 000002
【特許請求の範囲】
【請求項１】
光ファイバ把持部で光ファイバテープ心線の被覆部を把持せしめ、この被覆部より先端に露出された裸光ファイバ部を前記光ファイバ把持部より前方に設けられた溝台の溝へ収めて整列させる際、前記光ファイバ把持部で把持され光ファイバ把持部より前方にある被覆部の下方位置に、両脇に傾斜部を有する光ファイバガイド部を前記溝台と該光ファイバガイド部のそれぞれの中心がほぼ一直線上になるよう配置し、前記裸光ファイバ部を前記溝上に設置した後、前記光ファイバガイド部を上昇させて前記被覆部をガイドして前記光ファイバ把持部ごと光ファイバガイド部の中心位置へ移動させて、その後光ファイバガイド部を下降させて前記裸光ファイバ部を前記溝内に収めて整列させることを特徴とする光ファイバの整列方法。
【請求項２】
光ファイバ把持部で単心光ファイバの被覆部を把持せしめ、この被覆部より先端に露出された裸光ファイバ部を前記光ファイバ把持部より前方に設けられた溝台の溝へ収めて整列させる際、前記光ファイバ把持部で把持され光ファイバ把持部より前方にある単心光ファイバを支持するために前記光ファイバ把持部の先端に光ファイバ把持部の中心と一致する中心を有すると共に溝を備えた単心用支持部を設け、この単心用支持部の下方位置に、両脇に傾斜部を有する光ファイバガイド部を前記溝台と該光ファイバガイド部のそれぞれの中心がほぼ一直線上になるよう配置し、前記裸光ファイバ部を前記溝上に設置した後、前記光ファイバガイド部を上昇させて前記光ファイバの被覆部をガイドして前記光ファイバ把持部ごと光ファイバガイド部の中心位置へ移動させて、その後光ファイバガイド部を下降させて前記裸光ファイバ部を前記溝内に収めて整列させることを特徴とする光ファイバの整列方法。
【請求項３】
両側に設けられた一対の光ファイバ把持部で光ファイバの被覆部を把持せしめ、この被覆部より先端に露出された裸光ファイバ部を前記一対の光ファイバ把持部より内側に設けられた溝台の溝へ収めて整列させると共に裸光ファイバ部の端部同士を突き合わせる光ファイバの突き合わせ装置であって、前記光ファイバ把持部で把持され光ファイバ把持部より内側にある各被覆部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置されていることを特徴とする光ファイバの突き合わせ装置。
【請求項４】
光ファイバ把持部で光ファイバの被覆部を把持せしめ、この被覆部より先端に露出された裸光ファイバ部を前記光ファイバ把持部より前方に設けられた溝台の溝へ収めて整列させる光ファイバの整列装置であって、前記光ファイバ把持部の先端に光ファイバ把持部の中心と一致する中心を有すると共に溝を備えた単心用支持部を設け、この単心用支持部の下方位置に、少なくとも上下方向移動可能に光ファイバガイド部を設け、この光ファイバガイド部の両脇に傾斜部を有すると共に前記溝台と光ファイバガイド部のそれぞれの中心がほぼ一直線上になるよう配置されていることを特徴とする光ファイバの突き合わせ装置。
【請求項５】
両側に設けられた一対の光ファイバ把持部で光ファイバの被覆部を把持せしめ、この被覆部よの先端に露出された裸光ファイバ部を前記一対の光ファイバ把持部より内側に設けられた溝台の溝へ収めて整列させると共に裸光ファイバ部の端部同士を突き合わせ、この状態で融着接続する光ファイバの融着接続装置であって、前記各光ファイバ把持部で把持され各光ファイバ把持部より内側にある各光ファイバの被覆部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置され、裸光ファイバ部の端部同士を突き合わせた状態で融着接続する融着接続手段を設けていることを特徴とする光ファイバの融着接続装置。
【請求項６】
両側に設けられた一対の光ファイバ把持部で光ファイバの被覆部を把持せしめ、この被覆部よの先端に露出された裸光ファイバ部を前記一対の光ファイバ把持部より内側に設けられた溝台の溝へ収めて整列させると共に裸光ファイバ部の端部同士を突き合わせ、この状態で融着接続する光ファイバの融着接続装置であって、前記光ファイバ把持部の先端に光ファイバ把持部の中心と一致する中心を有すると共に溝を備えた単心用支持部を設け、この単心用支持部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置され、裸光ファイバ部の端部同士を突き合わせた状態で融着接続する融着接続手段を設けていることを特徴とする光ファイバの融着接続装置。
【発明の詳細な説明】
【技術分野】
【０００１】
この発明は、光ファイバを、光ファイバ把持部で光ファイバの被覆部を把持せしめ、この被覆部より先端に露出された裸光ファイバ部を前記光ファイバ把持部より内側に設けられた溝台の溝へ収めて整列させる光ファイバの整列方法、この光ファイバの整列方法を用いた光ファイバの突き合わせ装置および光ファイバの融着接続装置に関する。
【背景技術】
【０００２】
図１３を参照するに、従来の光ファイバの融着接続装置１０１は、光ファイバの突き合わせ装置１０３と融着接続手段１０５とで構成されている。前記光ファイバの突き合わせ装置１０３としては、一対の光ファイバとしての例えば４心の光ファイバテ−プ心線１０７Ａ、１０９Ａから被覆部１０７Ｂ、１０９Ｂを除去した先端の裸光ファイバ部１０７Ｃ、１０９Ｃを両側から突合わせるために整列させる溝台１１１の一部の表面に備えられた溝としてのそれぞれ相対向して設けられているＶ溝１１３Ｌ、１１３Ｒ（突合わせ部を構成している）と、一対の光ファイバテ−プ心線１０７Ａ、１０９Ａの被覆部１０７Ｂ、１０９Ｂをそれぞれ把持する一対の光ファイバ把持部１１５Ｌ、１１５Ｒ（光ファイバホルダ）とで構成されている。この光ファイバ把持部１１５Ｌ、１１５Ｒは光ファイバ把持台１１７Ｌ、１１７Ｒ上に設けられている。前記被覆部１０７Ｂ、１０９Ｂを把持せしめるようになっている。
【０００３】
一対の光ファイバテープ心線１０７Ａ、１０９Ｂの各裸光ファイバ部１０７Ｃ、１０９Ｃを所定のＶ溝１１３Ｌ、１１３Ｒに載せる際、前記光ファイバテ−プ心線１０７Ａ、１０９Ａの被覆部１０７Ｂ、１０９Ｂを把持した光ファイバ把持部１１５Ｌ、１１５Ｒを手で動かして所定のＶ溝１１３Ｌ、１１３Ｒと裸光ファイバ部１０７Ｃ、１０９Ｃとの整列合わせ（位置合わせ）が行われる。光ファイバ把持部１１５Ｌ、１１５Ｒを使用する場合、作業者が片方の手で、全ての裸ファイバ１０７Ｃ、１０９Ｃがそれぞれの対応するＶ溝１１３Ｌ、１１３Ｒに収まるように前記光ファイバ把持部１１５Ｌ、１１５Ｒを動かし、位置が合った時点で図１４及び図１５に示されているように、もう一方の手でクランプレバー１１９Ｌ、１１９Ｒを点線の状態から実線の状態に操作して光ファイバ把持部１１５Ｌ、１１５Ｒをクランプする。
【０００４】
光ファイバ把持部１１５Ｌ、１１５Ｒの底面は図１５に示されているように凹形状で、この光ファイバ把持部１１５Ｌ、１１５Ｒを載せる前記光ファイバ把持台１１７Ｌ、１１７Ｒの載置面となる上面が凸形状になっており、この凸形状と前記凹形状の二つの嵌合部に隙間が有るので光ファイバ把持部１１５Ｌ、１１５Ｒを動かすことにより裸ファイバ部１０７Ｃ、１０９ＣをＶ溝１１３Ｌ、１１３Ｒに細かく位置合わせできる構造となっている。
【０００５】
また、従来の他の光ファイバの融着接続装置においては、前述した従来例と同様のＶ溝を有し、このＶ溝よりも上方に突出した前記Ｖ溝と同数のスリットが前記Ｖ溝の後方側に固定されており、前記スリットとＶ溝が同一直線上に並んでいる。したがって、前記スリットに裸光ファイバ部を挿入することにより、それぞれの裸光ファイバ部がスリットに案内されて互いに平行になるので、そのままＶ溝に収まるものである。（例えば、特許文献１参照。）。
【特許文献１】特開昭５９−２０１３号公報（２ページ下左１〜６行目、第５図）
【発明の開示】
【発明が解決しようとする課題】
【０００６】
ところで、従来の前者の光ファイバテ−プ心線１０７Ａ、１０９Ａの融着接続装置１０１においては、Ｖ溝１１３Ｌ、１１３Ｒの間隔は例えば０．３ｍｍと非常に狭く、またＶ溝１１３Ｌ、１１３Ｒ自体の幅も０．１ｍｍと非常に狭いものであり、作業者が目で見ながら手でＶ溝１１３Ｌ、１１３Ｒへ位置合わせを行うので非常に煩わしいという問題点があった。
【０００７】
また、光ファイバ把持部１１５Ｌ、１１５Ｒをクランプする際に、光ファイバ把持部１１５Ｌ、１１５Ｒが動いてしまうために裸光ファイバ部１０７Ｃ、１０９Ｃが所定のＶ溝１１３Ｌ、１１３Ｒから外れてしまう場合があり、作業者の熟練度により、作業スピードにばらつきが生じるという問題点があった。
【０００８】
従来の後者の光ファイバの融着接続装置においては、それぞれの裸光ファイバ部をスリットヘ挿入する際に手で位置合わせしなくてはならないので煩わしいという問題点があった。また、スリットが固定されているので、裸光ファイバを挿入するときあるいは取り出す際に、裸光ファイバ部を平行に移動させないと、裸光ファイバ部を傷付けたり折ってしまったりする可能性があるので、作業者は非常に注意深く行う必要があるために作業し難いという問題点があった。
【０００９】
この発明は上述の課題を解決するためになされたものである。
【課題を解決するための手段】
【００１０】
上記発明が解決しようとする課題を達成するためにこの発明の光ファイバの整列方法は
、光ファイバ把持部で光ファイバテープ心線の被覆部を把持せしめ、この被覆部より先端に露出された裸光ファイバ部を前記光ファイバ把持部より前方に設けられた溝台の溝へ収めて整列させる際、前記光ファイバ把持部で把持され光ファイバ把持部より前方にある被覆部の下方位置に、両脇に傾斜部を有する光ファイバガイド部を前記溝台と該光ファイバガイド部のそれぞれの中心がほぼ一直線上になるよう配置し、前記裸光ファイバ部を前記溝上に設置した後、前記光ファイバガイド部を上昇させて前記被覆部をガイドして前記光ファイバ把持部ごと光ファイバガイド部の中心位置へ移動させて、その後光ファイバガイド部を下降させて前記裸光ファイバ部を前記溝内に収めて整列させることを特徴とするものである。
【００１１】
この発明の光ファイバの整列方法は、光ファイバ把持部で単心光ファイバの被覆部を把持せしめ、この被覆部より先端に露出された裸光ファイバ部を前記光ファイバ把持部より前方に設けられた溝台の溝へ収めて整列させる際、前記光ファイバ把持部で把持され光ファイバ把持部より前方にある単心光ファイバを支持するために前記光ファイバ把持部の先端に光ファイバ把持部の中心と一致する中心を有すると共に溝を備えた単心用支持部を設け、この単心用支持部の下方位置に、両脇に傾斜部を有する光ファイバガイド部を前記溝台と該光ファイバガイド部のそれぞれの中心がほぼ一直線上になるよう配置し、前記裸光ファイバ部を前記溝上に設置した後、前記光ファイバガイド部を上昇させて前記光ファイバの被覆部をガイドして前記光ファイバ把持部ごと光ファイバガイド部の中心位置へ移動させて、その後光ファイバガイド部を下降させて前記裸光ファイバ部を前記溝内に収めて整列させることを特徴とするものである。
【００１２】
この発明の光ファイバの突き合わせ装置は、両側に設けられた一対の光ファイバ把持部で光ファイバの被覆部を把持せしめ、この被覆部より先端に露出された裸光ファイバ部を前記一対の光ファイバ把持部より内側に設けられた溝台の溝へ収めて整列させると共に裸光ファイバ部の端部同士を突き合わせる光ファイバの突き合わせ装置であって、前記光ファイバ把持部で把持され光ファイバ把持部より内側にある各被覆部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置されていることを特徴とするものである。
【００１３】
この発明の光ファイバの突き合わせ装置は、光ファイバ把持部で光ファイバの被覆部を把持せしめ、この被覆部より先端に露出された裸光ファイバ部を前記光ファイバ把持部より前方に設けられた溝台の溝へ収めて整列させる光ファイバの整列装置であって、前記光ファイバ把持部の先端に光ファイバ把持部の中心と一致する中心を有すると共に溝を備えた単心用支持部を設け、この単心用支持部の下方位置に、少なくとも上下方向移動可能に光ファイバガイド部を設け、この光ファイバガイド部の両脇に傾斜部を有すると共に前記溝台と光ファイバガイド部のそれぞれの中心がほぼ一直線上になるよう配置されていることを特徴とするものである。
【００１４】
この発明の光ファイバの光ファイバの融着接続装置は、両側に設けられた一対の光ファイバ把持部で光ファイバの被覆部を把持せしめ、この被覆部よの先端に露出された裸光ファイバ部を前記一対の光ファイバ把持部より内側に設けられた溝台の溝へ収めて整列させると共に裸光ファイバ部の端部同士を突き合わせ、この状態で融着接続する光ファイバの融着接続装置であって、前記各光ファイバ把持部で把持され各光ファイバ把持部より内側にある各光ファイバの被覆部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置され、裸光ファイバ部の端部同士を突き合わせた状態で融着接続する融着接続手段を設けていることを特徴とするものである。
【００１５】
この発明の光ファイバの光ファイバの融着接続装置は、両側に設けられた一対の光ファイバ把持部で光ファイバの被覆部を把持せしめ、この被覆部よの先端に露出された裸光ファイバ部を前記一対の光ファイバ把持部より内側に設けられた溝台の溝へ収めて整列させると共に裸光ファイバ部の端部同士を突き合わせ、この状態で融着接続する光ファイバの融着接続装置であって、前記光ファイバ把持部の先端に光ファイバ把持部の中心と一致する中心を有すると共に溝を備えた単心用支持部を設け、この単心用支持部の下方位置に、少なくとも上下方向移動可能に各光ファイバガイド部を設け、この各光ファイバガイド部の両脇に傾斜部を有すると共に前記溝台と各光ファイバガイド部のそれぞれの中心がほぼ一直線上になるよう配置され、裸光ファイバ部の端部同士を突き合わせた状態で融着接続する融着接続手段を設けていることを特徴とするものである。
【発明の効果】
【００１６】
以上のごとき課題を解決するための手段の説明から理解されるように、この発明によれば、光ファイバ把持部をセットした後に光ファイバガイド部が上昇し光ファイバの被覆部または被覆部を載置した単心支持部をガイドして、光ファイバ把持部ごと光ファイバガイド部の中心位置へ移動させて光ファイバガイド部を下降させることにより光ファイバの裸光ファイバ部が溝台の溝へ自動的に収まる。これにより最初に光ファイバ把持部をセットした時に、溝から外れてしまった光ファイバの裸光ファイバを矯正して整列させることができる。
【００１７】
したがって、光ファイバの整列、突き合わせ、融着接続を行う際に、作業者が光ファイバの位置合わせを行う手間が省け、容易かつ自動的に整列させることができる。
【発明を実施するための最良の形態】
【００１８】
以下、この発明の実施の形態について図面を参照して説明する。
【００１９】
図１及び図２を参照するに、この実施の形態に係る光ファイバの融着接続装置１は、光ファイバの突き合わせ装置３と融着接続手段５とで構成されている。前記光ファイバの突き合わせ装置３としては、一対の光ファイバテープ心線としての例えば４心の光ファイバテ−プ心線７Ａ、９Ａから被覆部７Ｂ、９Ｂを除去した先端の裸光ファイバ部７Ｃ、９Ｃを両側から突合わせるために本体フレーム１１の左右方向のほぼ中央部に突き合わせフレーム１３が立設されている。この突き合わせフレーム１３上には溝台１５が設けられている。この溝台１５の前後左右のほぼ中央部には凹部１７が形成されている。この凹部１７を挟んで左右に相対向した溝としてのＶ溝１９Ｌ、１９Ｒが前後方向へ一定のピッチで複数この例では４個が形成されている。複数のＶ溝１９Ｌ、１９Ｒは、それぞれの中心が一直線上に配置されている。前記溝台１５の上方に各Ｖ溝１９Ｌ、１９Ｒ内に収まっている裸光ファイバ部７Ｃ、９Ｃをクランプするため、すでに公知の図示省略のクランプ部材が開閉可能に設けられている。
【００２０】
前記溝台１５を挟んで前記本体フレーム１１上の左右には光ファイバ把持台２１Ｌ、２１Ｒが設けられている。この光ファイバ把持台２１Ｌ、２１Ｒ上には被覆部７Ｂ、９Ｂをホールドするための前記光ファイバ把持部２３Ｌ、２３Ｒが設けられている。この光ファイバ把持部２３Ｌ、２３Ｒはそれぞれ下把持部２５Ｄと上把持部２５Ｕとで構成されていて、下把持部２５Ｄの表面には図３に示されているように、前記被覆部７Ｂ、９Ｂを載置せしめる側面からみて矩形形状の開口部２７Ｌ、２７Ｒが左右方向へ形成されている。前記各下把持部２５Ｄにはヒンジピンにより被覆部７Ｂ、９Ｂをホールドするため上把持部２５Ｕが開閉可能に設けられている。前記光ファイバ把持部２３Ｌ、２３Ｒは位置決めピン２９Ｌ、２９Ｒにより前後方向の位置決めが行われていると共に前後方向には若干のガタを有している。
【００２１】
また、凹部１７の図２において上下方向の両側にはＶ溝１９Ｌ、１９Ｒで互いに突き合わされた裸光ファイバ部７Ｃ、９Ｃを融着して接続するための前記融着接続手段５が設けられている。この融着接続手段５は図２において前後に放電電極棒５Ａと放電電極棒５Ｂとが設けられている。
【００２２】
一対の光ファイバテープ心線７Ａ、９Ａの各裸光ファイバ部７Ｃ、９Ｃを所定のＶ溝１９Ｌ、１９Ｒに載せる際、前記光ファイバテ−プ心線７Ａ、９Ａの被覆部７Ｂ、９Ｂを把持した光ファイバ把持部２３Ｌ、２３Ｒを手で動かして所定のＶ溝１９Ｌ、１９Ｒと裸光ファイバ部７Ｃ、９Ｃとの整列合わせ（位置合わせ）が行われる。光ファイバ把持部２３Ｌ、２３Ｒを使用する場合、作業者が片方の手で、全ての裸ファイバ部７Ｃ、９Ｃがそれぞれの対応するＶ溝１９Ｌ、１９Ｒに収まるように前記光ファイバ把持部２３Ｌ、２３Ｒを動かし、位置が合った時点でもう一方の手で上把持部２５Ｄを下把持部２５Ｕにクランプする。
【００２３】
光ファイバ把持部２３Ｌ、２３Ｒにおける下把持部２５Ｄの底面は図３に示されているように凹形状で、この光ファイバ把持部２３Ｌ、２３Ｒを載せる前記光ファイバ把持台２３Ｌ、２３Ｒの載置面となる上面が凸形状になっており、この凸形状と前記凹形状の二つの嵌合部に隙間Ｓが有るので光ファイバ把持部２３Ｌ、２３Ｒを動かすことにより裸ファイバ部７Ｃ、９ＣをＶ溝１９Ｌ、１９Ｒに細かく位置合わせできる構造となっている。
【００２４】
図１および図２に示されているように、光ファイバ把持部２３Ｌ、２３Ｒに把持された光ファイバテ−プ心線７Ａ、９Ａの被覆部７Ｂ、９Ｂの光ファイバ把持部２３Ｌ、２３Ｒより前方に突出した被覆部７Ｂ、９Ｂの下方位置に板状の光ファイバガイド部３１が溝台１５のＶ溝１９Ｌ、１９Ｒの位置より上方へ出没するように昇降自在に設けられている。
【００２５】
前記光ファイバガイド部３１は、図４によく示されているように、両脇の外側平坦部３１Ａとこの外側平坦部３１Ａに連なって傾斜部３１Ｂを有し、この各傾斜部３１Ｂに連なって中央平坦部３１Ｃが形成されている。図５に示されているように、前記溝台１５と光ファイバガイド部３１のそれぞれの中心Ｏ１、Ｏ２がほぼ一直線上に配置されている。
【００２６】
上記構成により、一対の光ファイバテープ心線７Ａ、９Ａの裸光ファイバ部７Ｃ、９Ｃの先端が互いに突き合わされるように前記各光ファイバテープ心線７Ａ、９Ａの被覆部７Ｂ、９Ｖが光ファイバ把持部２３Ｌ、２３Ｒにより位置決めされてクランプセットされると、光ファイバテープ心線７Ａ、９Ａの幅が開口部２７Ｌ、２７Ｒ内に収められ、しかも光ファイバ把持台２１Ｌ、２１Ｒの凸形状の基準面に密着するよう上下から押圧されるので、光ファイバテープ心線７Ａ、９Ａが長手方向に向けて正確に位置決めされる。
【００２７】
光ファイバ把持部２３Ｒをセットした際に、図６に示されているように、たとえ裸光ファイバ９Ｃの先端部が溝台１５の各Ｖ溝１９Ｒから外れているとしても、また、光ファイバ把持部２３Ｌをセットした際に、同様に図６と対称のため図示省略してあるが、裸光ファイバ７Ｃの先端部が溝台１５の各Ｖ溝１９Ｌから外れているとしても、光ファイバガイド部３１が上昇して一旦被覆部９Ｂ、７Ｂを持ち上げることにより、図７（Ａ）の状態において被覆部７Ｂ、９Ｂが例えば光ファイバガイド部３１の傾斜部３１Ｂにガイドされて光ファイバ把持部２３Ｌ、２３Ｒごと光ファイバガイド部３１の中心Ｏ２位置に移動して各裸光ファイバ部７Ｃ、９Ｃが光ファイバガイド部３１の各傾斜部３１Ｂ内で容易に整列される。次いで、この状態のまま光ファイバガイド部３１が下降することにより、各裸光ファイバ部７Ｃ、９Ｃの先端部が所定のＶ溝１９Ｌ、１９Ｒ内へ自動的に確実に収められる。その後、図示省略のクランプ部材で各裸光ファイバ部７Ｃ、９Ｃを上方から押さえ、光ファイバ把持部２３Ｌ、２３Ｒを例えばそれぞれ内側へ移動して一対の光ファイバテープ心線７Ａ、９Ａの裸光ファイバ７Ｃ、９Ｃの先端が正確に互いに突き合わされる。この突合わされた裸光ファイバ部７Ｃ、９Ｃは光ファイバ融着接続手段５の放電電極棒５Ａから放電電極棒５Ｂに向けてアーク放電が流されることにより融着され接続される。
【００２８】
以上のように、整列状態が悪いときは再度突き合わせ動作が繰り返されるので、各裸光ファイバ部７Ｃ、９Ｃがより一層確実に所定のＶ溝１９Ｌ、１９Ｒに整列されることになる。
【００２９】
次に、この発明の実施の形態の主要部を構成する他の裸光ファイバ部７Ｃ、９Ｃを突合わせて突き合わせする方法について説明すると、光ファイバの融着接続装置１の構成としては前述した実施の形態と同様であるが、光ファイバの突き合わせ方法及び融着接続方法としては次の工程でも構わない。
【００３０】
前述した工程では、光ファイバガイド部３１を予め被覆部７Ｂ、９Ｂの下方位置に下降しておき、一対の光ファイバテープ心線７Ａ、９Ａを光ファイバ把持部２３Ｌ、２３Ｒで把持してから、光ファイバガイド部３１を上昇せしめることにより一旦被覆部７Ｂ、９Ｂを上昇させて整列してから、光ファイバガイド部３１を下降せしめて裸光ファイバ部７Ｃ、９Ｃの先端部をＶ溝１９Ｌ、１９Ｒへ収める工程であるが、他の方法としては光ファイバガイド部３１を最初からＶ溝１９Ｌ、１９Ｒより高い位置に上昇せしめておき、一対の光ファイバテープ心線７Ａ、９Ａの被覆部７Ｂ、９Ｂを光ファイバ把持部２３Ｌ、２３Ｒで把持して、各被覆部７Ｂ、９Ｂを光ファイバガイド部３１の各傾斜部３１Ｂ内へおいて整列せしめ、次いで光ファイバガイド部３１を下降せしめても前述した工程と同様の効果を得ることができる。
【００３１】
以上のことから、溝台１５のＶ溝１９Ｌ、１９Ｒから外れとしても、各裸光ファイバ部７Ｃ、９Ｃは光ファイバガイド部３１によって自動的に所定のＶ溝１９Ｌ、１９Ｒ内へ収めることができるので、作業者による位置合わせの必要が無く、作業者の熟練度による作業スピードのばらつきが無くなる。
【００３２】
また、光ファイバ把持部１９Ｌ、１９Ｒによりセットされた後に、光ファイバガイド部３１が上下して裸光ファイバ部７Ｃ、９Ｃを自動的に整列させるので、従来例の後者のように予め裸光ファイバ部７Ｃ、９Ｃをスリット内に位置合わせするという煩わしさが無くなり、効率よくセットすることができる。
【００３３】
また、光ファイバテープ心線７Ａ、９Ａを光ファイバ把持部２３Ｌ、２３Ｒにセットしたり、あるいは取り外したりする際には、光ファイバガイド部３１は溝台１５のＶ溝１９Ｌ、１９Ｒより下方位置に降りているので、作業者が注意を集中しなくとも従来例の後者のように裸光ファイバ部７Ｃ、９Ｃに傷をつけたり、折ってしまったりすることが無く、作業性が良いものである。
【００３４】
図８、図９および図１０には光ファイバ心線、光ファイバ素線の単心光ファイバ３３Ａ、３５Ａを突き合わせ、融着接続を行う場合の例が示されている。図８、図９および図１０において図１および図２における部品と同じ部品にと同一の符号を付して重複する説明を省略する。
【００３５】
図８、図９および図１０において光ファイバ把持部２３Ｌ、２３Ｒの先端には、単心用支持部３７が支持されている。この単心用支持部３７の下方位置には前記光ファイバガイド部３１が上下方向に移動可能に設けられている。すなわち、図１１に示されているように、単心用支持部３７の両側の外側には傾斜部３７Ｋが形成されていると共に図１２（Ａ）、（Ｂ）に示されているように、光ファイバガイド部３１に形成された傾斜部３１Ｂと係合可能となっている。図９および図１０は左側の光ファイバ把持部２３Ｌの具体的な構造を説明しているが、右側の光ファイバ把持部２３Ｒの構造は左側の光ファイバ把持部２３Ｌと対称的な構造であり、同じ構造をしているので、詳細な構造の説明を省略する。
【００３６】
前記単心用支持部３７は図１０、図１１に示されているように、中心部に溝としてのＶ溝３９が形成されている。このＶ溝３９は光ファイバ把持部２３Ｌ、２３Ｒの形成されたＶ溝４１と一直線になるようになっている。すなわち、前記単心用支持部３７の中心Ｏ３と光ファイバ把持部２３Ｌ、２３Ｒの中心Ｏ４とが一直線になるようになっている。
【００３７】
上記構成により、一対の単心光ファイバ３３Ａ、３５Ａの裸光ファイバ３３Ｃ、３５Ｃの先端が互いに突き合わされるように前記各単心光ファイバ３３Ａ、３５Ａの被覆部３３Ｂ、３５Ｂが光ファイバ把持部２３Ｌ、２３Ｒにより位置決めされてクランプセットされると、単心光ファイバ３３Ａ、３５Ａの幅がＶ溝４１内に収められ、しかも光ファイバ把持台２１Ｌ、２１Ｒの凸形状の基準面に密着するよう上下から押圧されるので、単心光ファイバ３３Ａ、３５Ａが長手方向に向けて正確に位置決めされる。
【００３８】
光ファイバ把持部２３Ｌ、２３Ｒをセットした際に、図６に示されているのと同様に、たとえ裸光ファイバ３３Ｃ、３５Ｃの先端部が溝台１５の各溝１９Ｌ、１９Ｒから外れているとしても、光ファイバガイド部３１が上昇して一旦単心用支持部３７を持ち上げることにより、図１２（Ａ）の状態から図１２（Ｂ）の状態に単心用支持部３７が例えば光ファイバガイド部３１の傾斜部３１Ｂにガイドされて光ファイバ把持部２３Ｌ、２３Ｒごと光ファイバガイド部３１の中心位置に移動して単心用支持部３７の傾斜部３７Ｋが光ファイバガイド部３１の各傾斜部３１Ｂ内で容易に整列される。次いで、この状態のまま光ファイバガイド部３１が下降することにより、各裸光ファイバ部３３Ｃ、３５Ｃの先端部が所定のＶ溝１９Ｌ、１９Ｒ内へ自動的に確実に収められる。その後、図示省略のクランプ部材で裸光ファイバ部３３Ｃ、３５Ｃを上方から押さえ、光ファイバ把持部２３Ｌ、２３Ｒをそれぞれ内側へ移動して一対の単心光ファイバ３３Ａ、３５Ａの裸光ファイバ部３３Ｃ、３３Ｃの先端が正確に互いに突き合わされる。この突合わされた裸光ファイバ部３３Ｃ、３５Ｃは光ファイバ融着接続手段５の放電電極棒５Ａから放電電極棒５Ｂに向けてアーク放電が流されることにより融着され接続される。
【００３９】
以上のように、整列状態が悪いときは再度突き合わせ動作が繰り返されるので、各裸光ファイバ部３３Ｃ、３５Ｃがより一層確実に所定のＶ溝１９Ｌ、１９Ｒに整列されることになる。
【００４０】
また、他の方法としては光ファイバガイド部３１を最初からＶ溝１９Ｌ、１９Ｒより高い位置に上昇せしめておき、一対の単心光ファイバ３３Ａ、３５Ａの被覆部３３Ｂ、３５Ｂが単心用支持部３７で支持された状態で被覆部３３Ｃ、３５Ｃを光ファイバ把持部２３Ｌ、２３Ｒで把持して、各単心用支持部３７の傾斜部３７Ｋを光ファイバガイド部３１の各傾斜部３１Ｂ内へおいて整列せしめ、次いで光ファイバガイド部３１を下降せしめても前述した工程と同様の効果を得ることができる。
【００４１】
以上のことから、溝台１５のＶ溝１９Ｌ、１９Ｒから外れたとしても、各裸光ファイバ部３３Ｃ、３５Ｃは光ファイバガイド部３１によって自動的に所定のＶ溝１９Ｌ、１９Ｒ内へ収めることができるので、作業者による位置合わせの必要が無く、作業者の熟練度による作業スピードのばらつきが無くなる。
【００４２】
また、光ファイバ把持部１９Ｌ、１９Ｒによりセットされた後に、光ファイバガイド部３１が上下して裸光ファイバ部３３Ｃ、３５Ｃを自動的に整列させるので、従来例の後者のように予め裸光ファイバ部３３Ｃ、３５Ｃをスリット内に位置合わせするという煩わしさが無くなり、効率よくセットすることができる。
【００４３】
また、光ファイバテープ心線７Ａ、９Ａを光ファイバ把持部２３Ｌ、２３Ｒにセットしたり、あるいは取り外したりする際には、光ファイバガイド部３１は溝台１５のＶ溝１９Ｌ、１９Ｒより下方位置に降りているので、作業者が注意を集中しなくとも従来例の後者のように裸光ファイバ３３Ｃ、３５Ｃに傷をつけたり、折ってしまったりすることが無く、作業性が良いものである。
【００４４】
なお、この発明は前述した実施の形態に限定されることなく、適宜な変更を行うことによりその他の態様で実施し得るものである。前述した光ファイバの突き合わせ装置３並びに融着接続装置１においては、溝台１５の両サイドには光ファイバガイド部３１がそれぞれ１個ずつ配置されているが、他の実施の形態としては溝台１５の両サイドにそれぞれ複数個の光ファイバガイド部３１を所定間隔を置いて配置しても構わない。この場合は複数個の光ファイバガイド部３１によって、各裸光ファイバ７Ｃ、９Ｃ（３３Ｃ、３５Ｃ）がより一層確実に該当するＶ溝１９Ｌ、１９Ｒに収められることになる。また、光ファイバガイド部３１の傾斜部３１Ｂを長くして、上昇量を自在にしておくことにより、種々な心数の光ファイバに対応できる。
【図面の簡単な説明】
【００４５】
【図１】この発明の実施の形態の光ファイバ突き合わせ装置を備えた光ファイバの融着接続装置の概略的な正面図である。
【図２】この発明の実施の形態の光ファイバ突き合わせ装置を備えた光ファイバの融着接続装置の概略的な平面図である。
【図３】光ファイバ把持部の側面図である。
【図４】光ファイバガイドの斜視図である。
【図５】溝台と光ファイバガイドとの関係を示した説明図である。
【図６】光ファイバテープ心線の裸光ファイバが溝から外れた状態を示した図である。
【図７】（Ａ）、（Ｂ）は光ファイバテープ心線の裸光ファイバが溝から外れたときの光ファイバガイド部の動作を示した図である。
【図８】この発明の実施の形態の光ファイバ突き合わせ装置を備えた他の光ファイバの融着接続装置の概略的な正面図である。
【図９】図８における左側の光ファイバ把持部部分の平面図である。
【図１０】図９において下把持部のみを示した平面図である。
【図１１】図９におけるＸＩ−ＸＩ線に沿った断面図である。
【図１２】（Ａ）、（Ｂ）は単身光ファイバの裸光ファイバが溝から外れたときの光ファイバガイド部の動作を示した図である。
【図１３】従来の光ファイバの融着接続装置の平面図である。
【図１４】図１３の光ファイバ把持部の正面図である。
【図１５】図１３の左側面図である。
【符号の説明】
【００４６】
１  光ファイバの融着接続装置
３  突き合わせ装置
５  融着接続手段
７Ａ、９Ａ  光ファイバテープ心線（光ファイバ）
７Ｂ、９Ｂ  被覆部
７Ｃ、９Ｃ  裸光ファイバ部
１１  本体部フレーム
１３  突き合わせフレーム
１５  溝台
１７  凹部
１９Ｌ、１９Ｒ  Ｖ溝（溝）
２１Ｌ、２１Ｒ  光ファイバ把持台
２３Ｌ、２３Ｒ  光ファイバ把持部
２５Ｌ、２５Ｒ  開口部
１７Ｌ、２７Ｒ  把持蓋
２９Ｌ、２９Ｒ  位置決めピン
３１  光ファイバガイド部
３１Ａ  外側平坦部
３１Ｂ  傾斜部
３１Ｃ  中央平坦部
３３Ａ、３５Ａ  単心光ファイバ
３３Ｂ、３５Ｂ  被覆部
３３Ｃ、３５Ｃ  裸光ファイバ部
３７  単心用支持部
３９  Ｖ溝（溝）
４１  Ｖ溝
【図１】
2005352168.tif 000003
【図２】
2005352168.tif 000004
【図３】
2005352168.tif 000005
【図４】
2005352168.tif 000006
【図５】
2005352168.tif 000007
【図６】
2005352168.tif 000008
【図７】
2005352168.tif 000009
【図８】
2005352168.tif 000010
【図９】
2005352168.tif 000011
【図１０】
2005352168.tif 000012
【図１１】
2005352168.tif 000013
【図１２】
2005352168.tif 000014
【図１３】
2005352168.tif 000015
【図１４】
2005352168.tif 000016
【図１５】
2005352168.tif 000017